(57)【要約】【課題】薬液霧発生装置内に設けられた内部管を、薬液霧発生装置の内部から取り出す際に必要となる作業の簡易化を図る。【解決手段】上部パネル４１のうちの開口５２が設けられている箇所には、内部ホースの固定に用いられる固定用部材６１が設けられている。この固定用部材６１は、ねじ止めによって上部パネル４１側に固定されており、内部ホースの取り外し時には、この固定用部材６１を取り外す。これにより、内部ホースの先端部が露出する。次いで、この露出した先端部を引っ張る。これにより、上部パネル４１に設けられた貫通孔を通じて、内部ホースが引き出されるようになる。【選択図】図６
2015167668.tif 000002
【特許請求の範囲】
【請求項１】
薬液を霧状とし薬液霧を発生させる薬液霧発生装置であって、
前記薬液霧発生装置の表面に取り付けられ、当該薬液霧発生装置の少なくとも一部を覆う覆い部材と
前記覆い部材の裏側に位置し、前記薬液霧が通る内部管と、
を備え、
前記覆い部材の表面側から当該覆い部材を通じ前記内部管を取り出せるように構成された薬液霧発生装置。
【請求項２】
前記内部管は、前記覆い部材に形成された貫通孔を通された状態で設けられており、当該内部管の一部が、当該覆い部材の表面側に位置し、
前記内部管の前記一部を把持して引っ張ることで当該内部管を取り出せることを特徴とする請求項１に記載の薬液霧発生装置。
【請求項３】
前記薬液霧発生装置には、前記薬液霧を発生する薬液霧発生部が更に設けられ、
前記薬液霧発生装置への前記内部管の設置は、前記貫通孔から当該内部管を挿入することで行われ、
前記薬液霧発生装置には、前記貫通孔から挿入された前記内部管の先端を前記薬液霧発生部へ案内する案内部材が設けられていることを特徴とする請求項２に記載の薬液霧発生装置。
【請求項４】
前記薬液霧発生装置は、前記薬液霧の提供を受ける者に対峙する前面、および、当該前面とは反対側に位置する背面を有し、
前記覆い部材は、前記薬液霧発生装置の前記前面側に取り付けられ、当該薬液霧発生装置の当該前面側から前記内部管を取り出せるように構成された請求項１乃至３の何れかに記載の薬液霧発生装置。
【請求項５】
前記薬液霧発生装置には、
前記薬液霧発生装置の内部と外部とを通じさせる開口と、
前記内部管の取り出しに伴い当該内部管から垂れる薬液が、前記開口に向かって移動するように当該薬液を案内する薬液案内部と、
が更に設けられていることを特徴とする請求項１乃至４の何れかに記載の薬液霧発生装置。
【請求項６】
前記覆い部材に対して着脱可能に設けられ、当該覆い部材に対する前記内部管の固定に用いられる固定用部材が更に設けられ、
前記固定用部材は、前記覆い部材の表面側から取り外せるように設けられていることを特徴とする請求項１乃至５の何れかに記載の薬液霧発生装置。
【発明の詳細な説明】
【技術分野】
【０００１】
本発明は、薬液霧発生装置に関する。
【背景技術】
【０００２】
特許文献１には、医療用機器として機能するネブライザキャビネットが開示されている。このネブライザキャビネットでは、キャビネット本体内部に薬液収容部を設けた噴霧装置を内蔵し、加圧空気を噴霧装置内に導入し、薬液収容部内の薬液と混合して噴霧状態にして噴霧する。
【先行技術文献】
【特許文献】
【０００３】
【特許文献１】特開２００９−１１６６９号公報
【発明の概要】
【発明が解決しようとする課題】
【０００４】
薬液霧発生装置では、例えば、薬液と空気とを混合して薬液霧を発生させ、発生させたこの薬液霧を、装置内部に設けた内部管を用い排出口まで導く。そして、この薬液霧は、排出口に繋がれた外部管等を通じて、患者の鼻腔等に供給される。ここで、内部管が寿命に達したり内部管が汚れたりした場合、新たな内部管への交換や内部管の洗浄のため、薬液霧発生装置から内部管を取り出す必要が生じる。
本発明の目的は、薬液霧発生装置内に設けられた内部管を、薬液霧発生装置の内部から取り出す際に必要となる作業の簡易化を図ることにある。
【課題を解決するための手段】
【０００５】
かかる目的のもと、本発明が適用される薬液霧発生装置は、薬液を霧状とし薬液霧を発生させる薬液霧発生装置であって、前記薬液霧発生装置の表面に取り付けられ、当該薬液霧発生装置の少なくとも一部を覆う覆い部材と前記覆い部材の裏側に位置し、前記薬液霧が通る内部管と、を備え、前記覆い部材の表面側から当該覆い部材を通じ前記内部管を取り出せるように構成された薬液霧発生装置である。
ここで、前記内部管は、前記覆い部材に形成された貫通孔を通された状態で設けられており、当該内部管の一部が、当該覆い部材の表面側に位置し、前記内部管の前記一部を把持して引っ張ることで当該内部管を取り出せることを特徴とすることができる。この場合、簡単な操作で、薬液霧発生装置から内部管を取り出せるようになる。
また、前記薬液霧発生装置には、前記薬液霧を発生する薬液霧発生部が更に設けられ、前記薬液霧発生装置への前記内部管の設置は、前記貫通孔から当該内部管を挿入することで行われ、前記薬液霧発生装置には、前記貫通孔から挿入された前記内部管の先端を前記薬液霧発生部へ案内する案内部材が設けられていることを特徴とすることができる。この場合、案内部材が設けられていない場合に比べ、内部管の先端の薬液霧発生部への配置を簡単に行えるようになる。
また、前記薬液霧発生装置は、前記薬液霧の提供を受ける者に対峙する前面、および、当該前面とは反対側に位置する背面を有し、前記覆い部材は、前記薬液霧発生装置の前記前面側に取り付けられ、当該薬液霧発生装置の当該前面側から前記内部管を取り出せるように構成されたことを特徴とすることができる。この場合、内部管の取り出し作業のためのスペースを確保しやすい、薬液霧発生装置の前面側から、内部管を取り出せるようになる。
また、前記薬液霧発生装置には、前記薬液霧発生装置の内部と外部とを通じさせる開口と、前記内部管の取り出しに伴い当該内部管から垂れる薬液が、前記開口に向かって移動するように当該薬液を案内する薬液案内部と、が更に設けられていることを特徴とすることができる。この場合、薬液霧発生装置の清掃作業を行いやすくなる。
また、前記覆い部材に対して着脱可能に設けられ、当該覆い部材に対する前記内部管の固定に用いられる固定用部材が更に設けられ、前記固定用部材は、前記覆い部材の表面側から取り外せるように設けられていることを特徴とすることができる。この場合、固定用部材を覆い部材の裏面側から取り外す構成に比べ、固定用部材の取り外しを行いやすくなる。
【発明の効果】
【０００６】
本発明によれば、薬液霧発生装置内に設けられた内部管を、薬液霧発生装置の内部から取り出す際に必要となる作業の簡易化を図ることができる。
【図面の簡単な説明】
【０００７】
【図１】耳鼻咽喉科で用いられる噴霧装置（ネブライザー）の斜視図である。
【図２】空気排出部に接続された薬液霧発生ユニットを示した図である。
【図３】上部パネルの図示を省略した状態の噴霧用ユニットを示した図である。
【図４】噴霧用ユニットの斜視図である。
【図５】噴霧用ユニットの斜視図である。
【図６】上部パネルを拡大して示した斜視図である。
【図７】上部パネルを拡大して示した斜視図である。
【図８】内部ホースの取り出し時の状態を示した図である。
【図９】上部パネルに設けられた開口付近の構造を説明する図である。
【図１０】内部ホース等の断面図である。
【図１１】ホース案内板を説明する図である。
【発明を実施するための形態】
【０００８】
以下、添付図面を参照して、本発明の実施の形態について詳細に説明する。
図１は、耳鼻咽喉科で用いられる噴霧装置（ネブライザー）１の斜視図である。
薬液霧発生装置の一例としての噴霧装置１は、箱状に形成された装置本体１Ａを備えている。この装置本体１Ａは、上面１１、底面１２、左側面１３、右側面１４、前面１５、背面１６を備えている。また、噴霧装置１には、薬液が置かれる薬液台２１が設けられている。この薬液台２１は、噴霧装置１の幅方向に沿って配置され、また、装置本体１Ａの前面１５側に取り付けられている。
【０００９】
本実施形態の噴霧装置１では、同時に、３人の患者に対する薬液の提供（噴霧）を行えるようになっており、薬液の噴霧のためのユニット（以下、「噴霧用ユニット」と称する）が３人分用意されている。具体的には、本実施形態の噴霧装置１では、噴霧用ユニット１０Ａ〜１０Ｃが設けられている。なお、薬液台２１については共用される形となっており、薬液台２１は、３つの噴霧用ユニット１０Ａ〜１０Ｃを横断する形で設けられている。
【００１０】
噴霧用ユニット１０Ａ〜１０Ｃについて詳細に説明する。なお、噴霧用ユニット１０Ａ〜１０Ｃの各々は同様に構成されており、ここでは、噴霧用ユニット１０Ｃについて説明する。噴霧用ユニット１０Ｃには、操作者（患者や看護師）による操作を受け付けるとともに操作者に対する情報の表示を行うＵＩ（User Interface）２４が設けられている。また、ＵＩ２４の下方には、空気が排出される空気排出部２５が設けられている。この空気排出部２５は、前面１５から突出するように設けられている。
【００１１】
図２は、空気排出部２５に接続された薬液霧発生ユニットを示した図である。
図１では図示を省略したが、図２に示すように、薬液台２１上には薬液霧発生ユニット２００が置かれる。この薬液霧発生ユニット２００には、一端が空気排出部２５に接続されるチューブ２１０、チューブ２１０からの空気が供給される薬液収容部２２０が設けられている。また、薬液収容部２２０に取り付けられ、患者への薬液の噴霧を行う薬液噴霧部２３０が設けられている。
【００１２】
薬液霧発生ユニット２００では、薬液収容部２２０において、チューブ２１０によって供給されてきた空気が薬液と混合し、薬液が霧状になる。そして、霧状となったこの薬液が、薬液噴霧部２３０の端部に設けられた２つの排出口２３１から排出される。
なお、図２では、排出口２３１の部分が患者の鼻腔に挿入される薬液噴霧部２３０を例示しているが、患者に接する部分がマスク状に形成される薬液噴霧部２３０も存在する。また、図２では、薬液収容部２２０に対して直接、薬液噴霧部２３０が取り付けられた態様を例示しているが、薬液収容部２２０と薬液噴霧部２３０とを離して設けてもよい。
【００１３】
図１を再び参照し、噴霧用ユニット１０Ｃについてさらに説明する。
噴霧用ユニット１０Ｃには、患者と対峙する側である前面１５側且つ上部に、上部パネル４１が設けられている。付言すると、噴霧用ユニット１０Ｃの表面には、噴霧用ユニット１０Ｃの一部を覆う覆い部材の一例としての上部パネル４１が設けられている。さらに、上部パネル４１の下方には、下部パネル４３が設けられ、上部パネル４１と下部パネル４３との間には、中間パネル４２が設けられている。
また、噴霧用ユニット１０Ｃには、３つの薬液ボトル５０が設けられている。この３つの薬液ボトル５０は、薬液台２１の内部に収容されている。薬液ボトル５０の各々には、空気供給用チューブ（後述）が接続され、この空気供給用チューブによって、薬液ボトル５０に空気が供給される。これにより、上記と同様、薬液霧が発生する。
【００１４】
そして、本実施形態では、この薬液霧が、噴霧用ユニット１０Ｃの内部に収容された内部管の一例としての内部ホース１００を通り、上部パネル４１に形成された開口５２まで供給される。この開口５２には、外部ホース５４が取り付けられており、開口５２まで供給された薬液霧は、外部ホース５４を通じて、患者の鼻腔等に供給される。より具体的には、外部ホース５４の先端部には、上記薬液噴霧部２３０と同様の機能を有する薬液噴霧部（不図示）が取り付けられており、この薬液噴霧部を通じ、患者の鼻腔等に薬液霧が供給される。
【００１５】
図３は、上部パネル４１の図示を省略した状態の噴霧用ユニット１０Ｃを示した図である。
同図に示すように、３つの薬液ボトル５０は、中間パネル４２の対向位置に配置される。さらに、中間パネル４２には、噴霧用ユニット１０Ｃの内部と外部とを通じさせる矩形状の開口４２Ａが形成されており、この開口４２Ａを内部ホース１００が通ることで、中間パネル４２の背後に位置する内部ホース１００が、中間パネル４２の前面側に位置する薬液ボトル５０まで達するようになっている。さらに、本実施形態では、上部パネル４１（図３では不図示）および中間パネル４２の背後に、内部ホース１００の案内を行うホース案内板２０５が設けられている。
【００１６】
ホース案内板２０５は、鉛直方向に沿った平面であって噴霧装置１の奥行き方向に沿った平面（仮想平面、不図示）における断面の形状がＣ字状に形成されている。付言すると、ホース案内板２０５は、噴霧用ユニット１０Ｃの手前側から奥側に向かって進行した後にこの手前側に戻る形状で形成され、且つ、曲率を有する形状で形成されている。
また、ホース案内板２０５の図中下端部には、３つの貫通孔２５０（図３では１つのみ表示）が形成されている。
【００１７】
そして、本実施形態では、この貫通孔２５０を、空気供給用チューブ５６が通るようになっている。この空気供給用チューブ５６は、薬液ボトル５０に接続されており、これにより、不図示のコンプレッサーからの空気が薬液ボトル５０に供給され、薬液霧が発生する。なお、図３では、１本の空気供給用チューブ５６のみ図示しているが、空気供給用チューブ５６は、３つ設けられた薬液ボトル５０に対応するように３本設けられている。
【００１８】
図４、図５は、噴霧用ユニット１０Ｃの斜視図である。
上記では説明を省略したが、薬液台２１の上面には、開口が形成されており、通常時においては、この開口は、図４、図５に示すように、塞ぎ板２１Ｂによって塞がれている。そして、塞ぎ板２１Ｂを外すと、塞ぎ板２１Ｂの下方に位置する３つの薬液ボトル５０（薬液台２１の内部に収容された３つの薬液ボトル５０）が現れるようになる。
【００１９】
ここで、本実施形態の噴霧装置１では、内部ホース１００の洗浄や、新たな内部ホース１００への交換のため、内部ホース１００を取り外すことが出来るようになっている。
以下、内部ホース１００の取り外し時の手順を説明する。
内部ホース１００の取り外し時には、まず、図４、図５にて示した塞ぎ板２１Ｂを取り外す。これにより、薬液ボトル５０が現れる。
【００２０】
次いで、空気供給用チューブ５６（図３参照）と薬液ボトル５０との接続を解除する。なお、本実施形態では、空気供給用チューブ５６の各々は、２本のチューブにより構成されるとともに、この２本のチューブが、図３にて符号３Ａで示す箇所に位置するコネクタ（不図示）を介し、端部同士で接続されている。本実施形態では、空気供給用チューブ５６と薬液ボトル５０との接続の解除は、このコネクタの部分を操作し、上記２本のチューブの端部同士の接続を解除することで行う。
【００２１】
次いで、薬液ボトル５０と内部ホース１００との接続を解除する。
この接続の解除は、図３にて示す内部ホース１００を、薬液ボトル５０から引き抜くように操作することで行う。付言すると、接続の解除は、図３にて示す内部ホース１００を、噴霧用ユニット１０Ｃの奥側方向に引っ張ることで行う。その後、本実施形態では、図１にて示した外部ホース５４の、噴霧用ユニット１０Ｃからの取り外しを行う。次いで、内部ホース１００の、噴霧用ユニット１０Ｃからの取り外しを行う。
【００２２】
なお、本実施形態では、空気供給用チューブ５６と薬液ボトル５０との接続を解除した後に、薬液ボトル５０と内部ホース１００との接続を解除する場合を一例に説明したが、薬液ボトル５０と内部ホース１００との接続を解除した後に、空気供給用チューブ５６と薬液ボトル５０との接続を解除するようにしてもよい。また、空気供給用チューブ５６と薬液ボトル５０との接続の解除は省略することもできる。
【００２３】
ここで、図６、図７（上部パネル４１を拡大して示した斜視図）を参照し、内部ホース１００を噴霧用ユニット１０Ｃから取り外す際の具体的な手順について説明する。
上記では説明を省略したが、図６に示すように、上部パネル４１のうちの開口５２が設けられている箇所には、内部ホース１００の固定に用いられる固定用部材６１が設けられている。この固定用部材６１は、ねじ止めによって上部パネル４１側に固定されており、内部ホース１００の取り外し時には、図７に示すように、この固定用部材６１を取り外す。
【００２４】
これにより、図７に示すように、内部ホース１００の先端部が露出する。次いで、本実施形態では、この露出した先端部を引っ張る。これにより、上部パネル４１に設けられた貫通孔（不図示）を通じて、内部ホース１００が引き出され、図８（内部ホース１００の取り出し時の状態を示した図）に示すように、内部ホース１００を、噴霧用ユニット１０Ｃから取り外せるようになる。
【００２５】
図９は、上部パネル４１に設けられた開口５２付近の構造を説明する図である。
上記にて説明したとおり、また、図９に示すように、本実施形態では、内部ホース１００の固定に用いられる固定用部材６１が設けられている。この固定用部材６１は、円筒状に形成されている。ここで、本実施形態では、この固定用部材６１のうちの、図中左側に位置する円形の開口６１Ａの部分が、上記にて説明した開口５２として機能する。
【００２６】
固定用部材６１についてさらに説明すると、固定用部材６１には、円筒状の基体６１Ｂが設けられている。さらに、この基体６１Ｂの図中左端部（開口６１Ａが設けられている側の端部）には、環状に形成され且つ基体６１Ｂの内周面から基体６１Ｂの中心部側に突出する環状突出部６１Ｃが設けられている。さらに、図示は省略するが、基体６１Ｂの内周面には、ねじ部が設けられている。
【００２７】
さらに、本実施形態では、固定用部材６１が取り付けられる被取り付け部材７０が設けられている。この被取り付け部材７０は、円筒状に形成されている。また、この被取り付け部材７０の一端７１側には、第１開口（不図示）が形成され、被取り付け部材７０の他端７２側には、第２開口７９が形成されている。
【００２８】
また、被取り付け部材７０の一端７１と他端７２との間には、被取り付け部材７０の外周面から突出する円環状のフランジ部（鍔部）７３が設けられている。ここで、上記では説明を省略したが、上部パネル４１（図９では不図示）には、円形の貫通孔（不図示）が形成されており、被取り付け部材７０は、この貫通孔に対して一端７１側が挿入された状態で、上部パネル４１に対して固定されている。
【００２９】
なお、上部パネル４１の上記貫通孔に対して、被取り付け部材７０の一端７１側を挿入すると、フランジ部７３が、上部パネル４１に突き当たるようになる。これにより、上部パネル４１に対し被取り付け部材７０が位置決めされるようになる。また、本実施形態では、被取り付け部材７０の外周面のうちの、フランジ部７３よりも図中左側に位置する部分（符号９Ａで示す部分）には、不図示のねじ部が設けられ、本実施形態では、このねじ部に対して、固定用部材６１（の内周面の部分）が固定される構造となっている。
【００３０】
さらに、本実施形態では、上部パネル４１（図９では不図示）の裏面側から、被取り付け部材７０のフランジ部７３に対して、ねじ止めで固定される円環状部材８０が設けられている。本実施形態では、この円環状部材８０が、被取り付け部材７０の抜け止めとして機能し、この円環状部材８０によって、上部パネル４１からの被取り付け部材７０の脱落が防止されている。
【００３１】
次に、内部ホース１００の構造について説明する。
内部ホース１００には、円筒状のホース本体１１０が設けられている。また、ホース本体１１０の端部に固定され、このホース本体１１０と外部ホース５４（図１参照）との接続に用いられるコネクタ１２０が設けられている。さらに、円筒状に形成され、内部ホース１００へのコネクタ１２０の固定に用いる筒状部材１３０が設けられている。
【００３２】
コネクタ１２０は、円筒状に形成され、図中右端部側に第１開口（不図示）が設けられ、図中左端部側に第２開口１２２が設けられている。さらに、コネクタ１２０の外周面に、コネクタ１２０の周方向に沿って環状に形成された環状突起１２１が設けられている。
本実施形態では、被取り付け部材７０に対して、固定用部材６１が固定されると、被取り付け部材７０の図中左側に位置する端面７４と、固定用部材６１の環状突出部６１Ｃとの間に、環状突起１２１が位置する。これにより、内部ホース１００が上部パネル４１に対して固定される。
【００３３】
なお、ホース本体１１０と外部ホース５４（図１参照）との接続は、コネクタ１２０に設けられた第２開口１２２を通じ、コネクタ１２０の内部に、外部ホース５４の端部が挿入されることで行われる。ここで、コネクタ１２０の内周面のうち、この端部が挿入される部分、および、この端部の外周面には、テーパが付されており、これにより、本実施形態では、コネクタ１２０に対して外部ホース５４の端部を挿入すると、コネクタ１２０と外部ホース５４とが密着するようになる。
【００３４】
図１０は、内部ホース１００等の断面図である。
図９では説明を省略したが、図１０に示すように、コネクタ１２０のうちのホース本体１１０に挿入される箇所には、小径部１２５が設けられ、この小径部１２５よりも図中右側には、大径部１２６が設けられている。本実施形態では、ホース本体１１０に対して、コネクタ１２０を挿入すると、大径部１２６の端面がホース本体１１０の端面に突き当たる。これにより、ホース本体１１０に対するコネクタ１２０の位置決めが行われる。
さらに、本実施形態では、ホース本体１１０を介し、小径部１２５に対して筒状部材１３０が押し付けられており、これにより、ホース本体１１０からコネクタ１２０が外れにくくなっている。
【００３５】
図１１は、ホース案内板２０５を説明する図である。付言すると、図１１は、図１にて示した上部パネル４１、薬液台２１、薬液ボトル５０の図示を省略した状態における、ホース案内板２０５、中間パネル４２を示した図である。
上記にて説明したように、中間パネル４２には、矩形状の開口４２Ａが形成されている。そして、この開口４２Ａの背後、および、上部パネル４１（図１１では不図示）の背後に、ホース案内板２０５が設けられている。
ホース案内板２０５は、上記のとおり断面形状がＣ字状となっている。そして、ホース案内板２０５には、図中手前側から奥側に向かって進むにように形成され且つ図中手前側から奥側に向かって進むに従い下る第１傾斜面２４１が設けられている。なお、この第１傾斜面２４１には、曲率が付与されている。
【００３６】
さらに、第１傾斜面２４１よりも図中下方に配置され、図中手前側から奥側に向かって進むにように形成され且つ図中手前側から奥側に向かって進むに従い昇る第２傾斜面２４２が設けられている。ここで、この第２傾斜面２４２には、第１傾斜面２４１と同様に、曲率が付与されている。また、第２傾斜面２４２は、図中奥側に位置する端部が、第１傾斜面２４１に接続されている。
さらに、上記にて説明したとおり、ホース案内板２０５の図中下端部には、貫通孔２５０が形成されており、薬液ボトル５０に接続される空気供給用チューブ５６（図３参照）は、この貫通孔２５０を通る。
【００３７】
さらに、ホース案内板２０５には、上下方向且つ噴霧用ユニット１０Ｃの奥行き方向に沿って延びる第１板材２５１と、水平方向且つ噴霧用ユニット１０Ｃの奥行き方向に沿って延びる第２板材２５２とが設けられている。
第１板材２５１は、第１傾斜面２４１の図中右端縁に接続され、この右端縁との接続部を始点として、図中手前側に向かうように配置されている。一方、第２板材２５２は、第１板材２５１の下端縁に接続され、この下端縁との接続部を始点として、図中右方向に向かうように形成されている。そして、本実施形態では、第１板材２５１よりも図中右側に且つ第２板材２５２よりも図中上方に、空間１１Ａが形成される。
【００３８】
ここで、上記では説明を省略したが、図１にて示した、空気排出部２５の背後には（上部パネル４１の背後には）、不図示のコンプレッサーからの空気を、この空気排出部２５に供給する空気供給用チューブ（不図示）が設けられている。この空気供給用チューブは、空気排出部２５との接続部を始点として、噴霧用ユニット１０Ｃの奥側方向に向かうが、このとき、この空気供給用チューブは、上記空間１１Ａを通過する。
【００３９】
次に、内部ホース１００の取り付け時の手順について説明する。
内部ホース１００の取り付けは、内部ホース１００の取り外し時の手順とは逆の手順で行う。
具体的には、まず、固定用部材６１が上部パネル４１から取り外されている状態（図８参照）にて、被取り付け部材７０の端部に形成された第２開口７９（図９参照）から、内部ホース１００の挿入を行う。このとき、内部ホース１００のうちの、薬液ボトル５０に接続される側を先頭として、内部ホース１００を挿入する。
【００４０】
内部ホース１００の挿入が開始されると、内部ホース１００の挿入方向における先端が、ホース案内板２０５の第１傾斜面２４１（図１１参照）により案内され、この先端は、噴霧用ユニット１０Ｃの奥側方向且つ下方に向かって進む。そして、内部ホース１００の先端が、第２傾斜面２４２に達すると、この第２傾斜面２４２による案内が開始され、内部ホース１００の先端は、中間パネル４２の開口４２Ａに向かって移動するようになる。
【００４１】
そして、内部ホース１００の挿入がさらに行われると、上記先端は、開口４２Ａを通過し、薬液ボトル５０の設置箇所まで到達する。なお、図示は省略しているが、ホース案内板２０５のうちの、内部ホース１００の先端が接触する箇所には、テフロン（登録商標）系のテープなど、内部ホース１００とホース案内板２０５との摩擦を低減させる部材が設けられている。
【００４２】
次いで、本実施形態では、固定用部材６１を被取り付け部材７０に取り付け、上部パネル４１に対する内部ホース１００の固定を行う。次いで、薬液ボトル５０への内部ホース１００の取り付け、薬液ボトル５０への空気供給用チューブ５６の取り付けを行う。そして、最後に、薬液台２１に対し塞ぎ板２１Ｂ（図４参照）を取り付ける。
【００４３】
ここで、本実施形態の構成では、薬液ボトル５０との接続を解除した内部ホース１００の、噴霧用ユニット１０Ｃからの取り外しを行いやすくなっている。
具体的には、本実施形態の場合、上記のとおり、まず、噴霧用ユニット１０Ｃの外側から（上部パネル４１の表面側から）、固定用部材６１の取り外しを行い、次いで、内部ホース１００のうちの、上部パネル４１の表面から突出した部分（内部ホース１００のうち、上部パネル４１の表面側に位置する部分）を把持し、さらに引っ張る。この操作を行うだけで、内部ホース１００を取り外せるようになっている。即ち、本実施形態では、噴霧用ユニット１０Ｃの外側からの操作だけで、内部ホース１００を取り外せるようになっている。
【００４４】
ここで、例えば、固定用部材６１に相当する部材が、噴霧用ユニット１０Ｃの内部に設けられていたりすると、噴霧用ユニット１０Ｃの内部における作業が必要となり、作業が煩雑化しやすい。また、本実施形態のように、噴霧用ユニット１０Ｃの外側に内部ホース１００を引き出す構造ではなく、例えば、開閉扉を開けて、内部ホース１００を取り外す構成も考えられるが、この場合も、作業が煩雑化しやすい。
本実施形態では、上記のように、噴霧用ユニット１０Ｃの外側からの操作で、内部ホース１００を取り外せるようになっており、内部ホース１００の取り外し作業がより簡易なものになる。
【００４５】
また、上部パネル４１に対する内部ホース１００の取り付け時も同様であり、被取り付け部材７０の第２開口７９（図９参照）から内部ホース１００を挿入した後に、この被取り付け部材７０に対して固定用部材６１を取り付けることで、上部パネル４１に対する内部ホース１００の取り付けを行うことができるようになる。付言すると、噴霧用ユニット１０Ｃの外側からの操作で、上部パネル４１に対する内部ホース１００の固定を行えるようになる。
【００４６】
さらに、本実施形態では、噴霧装置１の前面１５（図１参照）側から内部ホース１００を取り出せるようになっている。付言すると、薬液霧の提供を受ける患者に対峙する前面１５側に、上部パネル４１が取り付けられており、噴霧装置１の前面１５側から内部ホース１００を取り出せるようになっている。
ここで、例えば、前面１５とは反対側に位置する背面１６側から内部ホース１００を取り出す態様も考えられるが、この背面１６は、壁に向きあった状態となることが多く、背面１６側にはスペースが存在しないことが多い。その一方で、前面１５側には、スペースが多く、内部ホース１００の取り出し作業が行いやすいものとなる。
【００４７】
さらに、本実施形態では、薬液ボトル５０への内部ホース１００の取り付けも行いやすくなっている。
本実施形態では、案内部材として機能するホース案内板２０５が設けられているため、噴霧用ユニット１０Ｃへの内部ホース１００の挿入を行うと、内部ホース１００のうちの薬液ボトル５０に接続される側（挿入方向における先端部側）が、薬液ボトル５０（薬液収容部、薬液霧発生部）に向かって進行してくる。これにより、薬液ボトル５０の近くに、この接続される側が位置するようになり、薬液ボトル５０への内部ホース１００の取り付けを行いやすくなる。
ここで、ホース案内板２０５が設けられていない場合、挿入された内部ホース１００は、噴霧用ユニット１０Ｃ内にて、垂れ下がるだけであり、この場合、内部ホース１００を薬液ボトル５０に取り付ける際の作業性が、ホース案内板２０５が設けられていない場合に比べ低下する。
【００４８】
さらに、本実施形態では、噴霧用ユニット１０Ｃの内部の清掃も行いやすくなっている。
本実施形態の構成では、内部ホース１００の取り外し時に、内部ホース１００の下端部から、内部ホース１００内の薬液が垂れることがあり、この薬液は、ホース案内板２０５に付着する。そして、清掃時には、清掃者は、このホース案内板２０５を清掃する。ここで、ホース案内板２０５が設けられていない場合、例えば、噴霧用ユニット１０Ｃの下部や奥側に薬液が付着することが考えられ、噴霧用ユニット１０Ｃの清掃を行いにくくなる。
【００４９】
さらに、本実施形態では、内部ホース１００から垂れた薬液は、薬液案内部として機能するホース案内板２０５により案内され、中間パネル４２の開口４２Ａ（図１１参照）に向かって流れやすくなる。この場合、清掃者の手が届きやすい箇所に薬液が達するようになり、噴霧用ユニット１０Ｃの清掃をさらに行いやすくなる。
【００５０】
なお、ホース案内板２０５の清掃にあたっては、中間パネル４２の開口４２Ａから、噴霧用ユニット１０Ｃの内部に、清掃者の手が入れられるが、本実施形態では、第１板材２５１（図１１参照）および第２板材２５２が設けられているため、この手は、図１１にて示した空間１１Ａには届かないようになっている。これにより、空間１１Ａ内に位置する空気供給用チューブなどに対して、清掃者の手が届かないようになり、空気供給用チューブが空気排出部２５（図１参照）から外れてしまうなどの不具合が生じにくくなる。
【００５１】
図１を再び参照し、噴霧用ユニット１０Ｃについてさらに説明する。
同図に示すように、本実施形態では、３つの薬液ボトル５０（噴霧用ユニット１０Ｃに設けられた３つの薬液ボトル５０）の配置間隔であるボトル配置間隔Ｌ１と、３つの開口５２（噴霧用ユニット１０Ｃに設けられた３つの開口５２）の配置間隔である開口配置間隔Ｌ２と比較した場合に、ボトル配置間隔Ｌ１＞開口配置間隔Ｌ２という関係となっている。さらに、本実施形態では、３つの開口５２を図中左側にずらした状態で配置している。
【００５２】
付言すると、本実施形態では、３つの薬液ボトル５０のうちの図中中央に位置する薬液ボトル５０の水平方向における位置と、３つの開口５２のうちの図中中央に位置する開口５２の水平方向における位置とが揃っておらず、図中左端に位置する薬液ボトル５０の水平方向における位置と、図中左端に位置する開口５２の水平方向における位置とを揃えている。さらに説明すると、本実施形態では、３つの開口５２の配置間隔を、３つの薬液ボトル５０の配置間隔よりも小さくし、さらに、３つの開口５２を、図中左側にオフセットしている。
【００５３】
これにより、本実施形態では、３つの開口５２よりも、図中右側に位置する箇所に、開口５２が設置されていない余剰領域が生じる。そして、本実施形態では、この余剰領域に、空気排出部２５を設けた構成としている。このような構成とした場合、ボトル配置間隔Ｌ１と開口配置間隔Ｌ２とが等しい状態にて、３つの開口５２の右側に空気排出部２５が設けられている構成に比べ、上部パネル４１の幅寸法を小さくできるようになる。そして、この場合は、噴霧用ユニット１０Ｃ（噴霧装置１）の幅寸法も小さくできるようになる。
【符号の説明】
【００５４】
１…噴霧装置（ネブライザー）、４１…上部パネル、４２Ａ…開口、５０…薬液ボトル、６１…固定用部材、１００…内部ホース、２０５…ホース案内板
【図１】
2015167668.tif 000003
【図２】
2015167668.tif 000004
【図３】
2015167668.tif 000005
【図４】
2015167668.tif 000006
【図５】
2015167668.tif 000007
【図６】
2015167668.tif 000008
【図７】
2015167668.tif 000009
【図８】
2015167668.tif 000010
【図９】
2015167668.tif 000011
【図１０】
2015167668.tif 000012
【図１１】
2015167668.tif 000013